(57)【要約】【課題】ネットワークカメラの設定において、パソコンをＥｔｈｅｒｎｅｔ（Ｒ）ケーブルで接続せずに行い、かつ、表示装置におけるアクセス情報の手作業によるミスをなくすネットワークカメラシステムを実現する。【解決手段】ネットワークカメラ２のＩＰアドレスなどの通信設定情報をユーザが携帯端末１に入力し、携帯端末１は前記設定情報を記憶し、さらに前記設定情報を固有の画像に変換し、携帯端末１の画面に表示させると同時に、前記設定情報からアクセス情報を生成し、あらかじめ記憶していた表示装置３の情報を基に送信し、ネットワークカメラ２は、携帯端末１の画面を撮像し、前記固有画像を含む撮像画像を画像認識により解析し、通信手段に設定し、表示装置３は携帯端末１の送信したアクセス情報を基にネットワークカメラ２に画像送信要求を行い、ネットワークカメラ２の一般撮像画像を受信し、表示する。【選択図】図１
2005244268.tif 000002
【特許請求の範囲】
【請求項１】
端末装置と表示装置が第一のネットワークに接続され、撮像装置と表示装置が第二のネットワークに接続される通信システムにおける通信方法であって、
前記端末装置は、
前記第二のネットワーク接続のための通信設定情報を入力する入力ステップ、
前記通信設定情報を記憶する記憶ステップ、
前記通信設定情報を固有画像データに変換する固有画像変換ステップ、
前記固有画像データを表示する固有画像表示ステップ、
前記通信設定情報に基づき表示装置が撮像装置と通信するためのアクセス情報を生成するアクセス情報生成ステップ、
前記表示装置に前記第一のネットワークを介して前記アクセス情報を送信する情報送信ステップ、
を有し、
前記撮像装置は、
画像データを撮像する画像入力ステップ、
前記表示装置に画像データを送信する画像送信ステップ、
前記撮像された画像データが固有画像データか否かを判断する画像判断ステップ、
固有画像データと判断された場合、当該固有画像データを前記通信設定情報に変換し、前記第二のネットワーク接続のための通信設定を行う情報設定ステップ、
を有し、
前記表示装置は、
前記第一のネットワークを介して前記アクセス情報を受信する第一の通信ステップ、
前記アクセス情報を用いて、前記撮像装置より画像データを受信する第二の通信ステップ、
受信した前記画像データを表示する受信画像表示ステップ、
を有することを特徴とする通信方法。
【請求項２】
前記表示装置における第一の通信ステップと第二の通信ステップが同一であることを特徴とする請求項１に記載の通信方法。
【請求項３】
前記端末装置の前記入力ステップは、第三のネットワークを介して接続された通信設定情報管理装置から前記通信設定情報をダウンロードすることを特徴とする請求項１に記載の通信方法。
【請求項４】
前記固有画像データがバーコードであることを特徴とする請求項１に記載の通信方法。
【請求項５】
前記固有画像データが画像認識可能な画像文字であることを特徴とする請求項１に記載の通信方法。
【請求項６】
端末装置と表示装置が第一のネットワークに接続され、撮像装置と表示装置が第二のネットワークに接続される通信システムであって、
前記端末装置は、
前記第二のネットワーク接続のための通信設定情報を入力する入力手段、
前記通信設定情報を記憶する記憶手段、
前記通信設定情報を固有画像データに変換する固有画像変換手段、
前記固有画像データを表示する固有画像表示手段、
前記通信設定情報に基づき表示装置が撮像装置と通信するためのアクセス情報を生成するアクセス情報生成手段、
前記表示装置に前記第一のネットワークを介して前記アクセス情報を送信する情報送信手段、
を有し、
前記撮像装置は、
画像データを撮像する画像入力手段、
前記表示装置に画像データを送信する画像送信手段、
前記画像データが固有画像データか否かを判断する画像判断手段、
固有画像データであると判断された場合、当該固有画像データを前記通信設定情報に変換し、前記第二のネットワーク接続のための通信設定を行う情報設定手段、
を有し、
前記表示装置は、
前記第一のネットワークを介して前記アクセス情報を受信する第一の通信手段、
前記アクセス情報を用いて、前記撮像装置より画像データを受信する第二の通信手段、
受信した前記画像データを表示する受信画像表示手段、
を有することを特徴とする通信システム。
【請求項７】
端末装置と表示装置が第一のネットワークに接続され、撮像装置と表示装置が第二のネットワークに接続される通信システムを実行するプログラムであって、
前記端末装置は、
前記第二のネットワーク接続のための通信設定情報を入力する入力ステップ、
前記通信設定情報を記憶する記憶ステップ、
前記通信設定情報を固有画像データに変換する固有画像変換ステップ、
前記固有画像データを表示する固有画像表示ステップ、
前記通信設定情報に基づき表示装置が撮像装置と通信するためのアクセス情報を生成するアクセス情報生成ステップ、
前記表示装置に前記第一のネットワークを介して前記アクセス情報を送信する情報送信ステップ、
より実行され、
前記撮像装置は、
画像データを撮像する画像入力ステップ、
前記表示装置に画像データを送信する画像送信ステップ、
前記画像データが固有画像データか否かを判断する画像判断手段、
固有画像データであると判断された場合、当該固有画像データを前記通信設定情報に変換し、前記第二のネットワーク接続のための通信設定を行う情報設定ステップ、
より実行され、
前記表示装置は、
前記第一のネットワークを介して前記アクセス情報を受信する第一の通信ステップ、
前記アクセス情報を用いて、前記撮像装置より画像データを受信する第二の通信ステップ、
受信した前記画像データを表示する受信画像表示ステップ、
より実行されることを特徴とする通信システムプログラム。
【請求項８】
請求項７に記載の通信システムプログラムを記録した記録媒体。
【発明の詳細な説明】
【技術分野】
【０００１】
本発明はネットワークに接続したカメラシステムに関するものである。
【背景技術】
【０００２】
ネットワークカメラとは、ネットワークを用いて、より代表的にはＴＣＰ／ＩＰ通信、例えばＨＴＴＰを使用して、ブラウザなどの表示装置からアクセスされ、（ネットワークに接続された）カメラが撮像画像情報を送信し、画像を表示装置に表示するものである。
【０００３】
ネットワークカメラを設置するに際しては、そのＩＰアドレス情報などの通信設定情報を初期設定する場合、初期設定のみのためにネットワークに接続可能なパソコンをＥｔｈｅｒｎｅｔ（Ｒ）ケーブルでネットワークカメラに接続し、ネットワークを介して設定する必要がある。通信設定情報は、ネットワークに接続するために必要な情報であり、具体的には、ＩＰアドレス、サブネットマスク、デフォルトゲートウェイ、ＤＮＳ、ポート番号などを示す。
【０００４】
ネットワークに関する設定方法の一例では、
１．パソコンに接続後、ネットワークカメラの電源を入れる
２．付属ＣＤ−ＲＯＭを入れる
３．ネットワークカメラの電源を入れる
４．ネットワークの設定を行う（ＩＰアドレス、サブネットマスク、ポート番号など）
いう設定手順が必要となる（例えば、非特許文献１参照）。
【０００５】
また、表示装置へネットワークカメラへのアクセス情報を伝達する際、口頭で伝えるあるいは人手で入力した情報を印刷して郵送するなどのため、手作業によるミスが発生することがある。アクセス情報とは、ネットワークカメラへアクセスするために必要な情報であり、具体的にはネットワークカメラのＩＰアドレスから生成されるＵＲＬなどで実現される。
【０００６】
ネットワークの設定と同様に前記非特許文献１によっても、ネットワークカメラの撮像した映像をブラウザなどの表示装置により閲覧する場合においても、ポート番号、ＩＰアドレスから生成されるＵＲＬを表示装置に入力する必要がある。
【０００７】
初期設定のためにパソコンをＥｔｈｅｒｎｅｔ（Ｒ）ケーブルで接続しないで設定する方法として、情報機器の画面に特有情報を表示し、デジタルスチルカメラで撮像し、画像認識することにより、その画像から得られる特有情報を使用して、情報機器を認証した後に、情報機器とデジタルスチルカメラ間で無線通信を行う技術を使用することができる（例えば、特許文献１参照）。
【非特許文献１】「ネットワークカメラ（屋内設置タイプ）取扱説明書（基本編）品番ＫＸ−ＨＣＭ１８０」松下電器産業株式会社、ｐ．２０−３４
【特許文献１】特開２００３−１４３４５７号公報「情報機器システム」
【発明の開示】
【発明が解決しようとする課題】
【０００８】
しかしながら、前記従来の構成では、ネットワークカメラの初期設定において、パソコンをＥｔｈｅｒｎｅｔ（Ｒ）ケーブルで接続せずに行うことはできるが、情報機器とカメラ間での通信のみを対象としており、カメラにおける撮像画像の表示装置がネットワークを経由することを想定していなかったため、表示装置におけるアクセス情報を伝達する際に、手作業によるミスが発生するという課題を有していた。
【０００９】
本発明は、前記従来の課題を解決するためのもので、ネットワークカメラの初期設定のみのために設定用パソコンをＥｔｈｅｒｎｅｔ（Ｒ）ケーブルでネットワークカメラに接続する必要をなくし、さらに、表示装置へネットワークカメラへのアクセス情報を伝達する際、手作業によるミスが発生することをなくすことを目的とする。
【課題を解決するための手段】
【００１０】
前記従来の課題を解決するために、本発明の請求項１に記載の発明は、端末装置と表示装置が第一のネットワークに接続され、撮像装置と表示装置が第二のネットワークに接続される通信システムにおける通信方法であって、前記端末装置は、前記第二のネットワーク接続のための通信設定情報を入力する入力ステップ、前記通信設定情報を記憶する記憶ステップ、前記通信設定情報を固有画像データに変換する固有画像変換ステップ、前記固有画像データを表示する固有画像表示ステップ、前記通信設定情報に基づき表示装置が撮像装置と通信するためのアクセス情報を生成するアクセス情報生成ステップ、前記表示装置に前記第一のネットワークを介して前記アクセス情報を送信する情報送信ステップ、を有し、前記撮像装置は、画像データを撮像する画像入力ステップ、前記表示装置に画像データを送信する画像送信ステップ、前記撮像された画像データが固有画像データか否かを判断する画像判断ステップ、固有画像データと判断された場合、当該固有画像データを前記通信設定情報に変換し、前記第二のネットワーク接続のための通信設定を行う情報設定ステップ、を有し、前記表示装置は、前記第一のネットワークを介して前記アクセス情報を受信する第一の通信ステップ、前記アクセス情報を用いて、前記撮像装置より画像データを受信する第二の通信ステップ、受信した前記画像データを表示する受信画像表示ステップを有する。
【００１１】
本構成によって、ネットワークカメラの初期設定のみのためにパソコンをＥｔｈｅｒｎｅｔ（Ｒ）ケーブルでネットワークカメラに接続する必要がなくすことができる。
【００１２】
さらに、複数の場所に予め設定されている複数の表示装置と接続する場合に、ネットワークカメラを全ての表示装置の設置場所に持っていって設定する必要がなくなる。
【００１３】
さらに、表示装置へネットワークカメラへのアクセス情報を伝達する際、手作業によるミスが発生することがなくすことができる。さらに、ネットワークカメラにおいて必要な撮像装置以外の入力インターフェースを追加する必要がないため、ネットワークカメラの大型化を抑えることができる。
【００１４】
本発明の請求項２に記載の発明は、請求項１に記載の表示装置において、第一の通信手段と第二の通信手段が同一にすることである。
【００１５】
本構成によって、前記表示装置は通信手段を一つ持つだけでよく、二つの通信手段のためのネットワーク設定を行う必要がなくなる。
【００１６】
本発明の請求項３に記載の発明は、前記入力手段と、管理装置が第三のネットワークに接続され、前記入力手段は、第三のネットワークを介して、前記管理装置から前記通信設定情報をダウンロードすることにより得ることを特徴とする請求項１記載の通信システムである。
【００１７】
本構成によって、端末装置へ通信設定情報を入力する際に、手作業によるミスが発生することをなくすことができる。
【発明の効果】
【００１８】
本発明のネットワークカメラシステムによれば、ネットワークカメラの初期設定のみのために設定用パソコンをＥｔｈｅｒｎｅｔ（Ｒ）ケーブルでネットワークカメラに接続する必要をなくすことができる。
【００１９】
さらに、通信設定情報、アクセス情報に、ＩＰｖ６アドレスが含まれる場合、手作業によるミスがＩＰｖ４アドレス使用時よりも多く発生する可能性がある。この場合においても、手作業によるミスが発生することをなくすことができる。
【発明を実施するための最良の形態】
【００２０】
以下、本発明の実施の形態について、図面を参照しながら説明する。
【００２１】
（実施の形態１）
〔ネットワークカメラシステムの概要〕
図１は、本発明の一実施の形態に係るネットワークカメラシステムの概要を示す概念図である。図１において、ネットワークカメラシステムは、たとえば、ＰＤＡや携帯電話などのネットワークに接続可能な携帯端末１と、ネットワークに接続可能なネットワークカメラ２と、ネットワークに接続可能であり、ネットワークカメラの画像を表示できる表示装置３（たとえば、携帯電話、固定電話や、ネットワーク接続可能なテレビ、テレビドアフォン、など）を備えている。ネットワークカメラ２と表示装置３はインターネットなどのネットワークを介し、携帯端末１と表示装置３はインターネット、電話網などの通信路を介し、互いに接続されている。なお、図１では一台の装置しか表記していないが、表示装置、およびネットワークカメラの数に制限はない。なお、通信路は有線で接続されていても、また無線で接続されていてもよい。
【００２２】
次に本発明の一実施の形態に係るネットワークカメラシステムの動作の概要について説明する。
【００２３】
携帯端末１において、ユーザにより入力された通信設定情報を文字列、バーコード等の固有の画像に変換し、画面に表示させる。前記固有の画像をネットワークカメラ２は撮像し、画像認識をし、通信設定情報をネットワークカメラ２自身に設定する。さらに、携帯端末１は前記設定情報からネットワークカメラ２へのアクセス情報を作成し、あらかじめ記憶しておいた表示装置３のアドレス情報を基に送信する。表示装置３は上記アクセス情報を基にネットワークカメラ２と通信可能となり、画像送信要求を行い、ネットワークカメラ２の撮像した画像を受信し、表示を行う。
【００２４】
以下、このネットワークシステムについて、各機器の構成とその動作の詳細について説明する。
【００２５】
最初に、各機器の構成と動作概要について説明する。
【００２６】
〔携帯端末の構成〕
図２は、本発明の一実施の形態に係る携帯端末１の構成を示すブロック図である。携帯端末１は、ユーザが通信設定情報を入力する入力手段２１と、前記通信設定情報を記憶する記憶手段２２と、前記通信設定情報を固有画像に変換する固有画像変換手段２３と、前記固有画像を表示する固有画像表示手段２４と、前記通信設定情報からアクセス情報作成手段２５と、アクセス情報を送信する情報送信手段２６と、により構成されている。
【００２７】
〔ネットワークカメラの構成〕
図３は、本発明の一実施の形態に係るネットワークカメラの構成を示すブロック図である。図３において、ネットワークカメラ２は、設定モードと撮影モードを選択するモード選択手段３１と、一般画像および、固有画像を含む画像を撮像し、入力する画像入力手段３２と、前記固有画像を含む画像から前記通信設定情報を取得するために解析する情報解析手段３３と、取得した前記通信設定情報を設定する情報設定手段３４と、一般画像を送信できる形式に変換する撮像画像変換手段３５と、変換した画像を送信する画像送信手段３６と、により構成されている。
【００２８】
〔表示端末の構成〕
図４は、本発明の一実施の形態に係る表示装置の構成を示すブロック図である。図４において、表示装置３は、第一のネットワークを介して、前記携帯端末が送信した前記アクセス情報を受信する第一の通信手段４１と、前記第二のネットワークを介して、前記ネットワークカメラが送信する画像を受信する第二の通信手段４２と、前記受信画像を表示できる形式に変換する受信画像変換手段４３と、変換した画像を表示する受信画像表示手段４４と、により構成されている。
【００２９】
〔ネットワークカメラシステムの動作の流れと各要素の動作〕
次にネットワークカメラシステムでの動作の流れを、各構成要素の詳細動作とともに、説明する。
【００３０】
ネットワークカメラでの動作の流れを次の４つに分割して説明する。
【００３１】
（１）携帯端末１において、ネットワークカメラ２の通信に必要な通信設定情報を入力し、固有の形式の画像を携帯端末１の画面に表示する。
【００３２】
（２）ネットワークカメラ２において、携帯端末１の画面に表示された固有の形式の画像を撮像し、ネットワークカメラ２自身に設定する。
【００３３】
（３）携帯端末１において、アクセス情報を生成し、表示装置３に送信し、表示装置３において、前記アクセス情報を設定する。
【００３４】
（４）表示装置３において、前記アクセス情報を基にネットワークカメラ２から撮像画像を受信し、表示する。
【００３５】
以下、（１）の動作について図５、図６を用いて説明する。
【００３６】
最初に、図２の入力手段２１について説明する。
【００３７】
ユーザは、図１の携帯端末１において、ネットワークカメラ２のＩＰアドレス、ゲートウェイ、ＩＤなどの通信設定情報の入力を入力手段２１を用いて行う。このとき、前記設定情報を入力するための専用のアプリケーションなどを起動し、キーボード、テンキー、タッチパネルなどのデバイスを使用して入力することで実現する。なお、音声を用いて入力を行ってもよい。なお、入力する情報は前記設定情報に限らず、例えば、表示装置３との通信のための情報などを加えてもよい。
【００３８】
入力手段２１の動作について、図５を用いて説明する。まず、入力デバイスからの入力が完了したかをステップＳ１６２により確認する。入力完了していない場合はステップＳ１６２に戻る。一方、入力が完了した場合はステップＳ１６３に進み、携帯端末１に入力された通信設定情報を記憶手段２２を用いて記憶する。その後、ステップＳ１６４にて、固有画像変換手段２３へ通知を行う。さらに、ステップＳ１６５にて、アクセス情報生成手段２５に通知を行い、ステップＳ１６２に戻る。また、端末にユーザが文字を入力する説明を行ったが、手で入力するだけでなく、例えば携帯端末をインターネット回線等に接続し、サーバなどの他の装置に記憶されている通信情報をダウンロードすることにより入力しても良い。この場合、携帯端末への入力時の手作業によるミスが発生することをなくすことができる。
【００３９】
次に、図２の固有画像変換手段２３について説明する。固有画像変換手段２３は入力手段２１により入力した情報を固有の形式に変換を行う。なお、固有画像変換手段は、１次元バーコードであれば、ＪＡＮ（Ｊａｐａｎｅｓｅ  Ａｒｔｉｃｌｅ  Ｎｕｍｂｅｒ）などのバーコード規格に従って、入力した情報をバーコードに変換することにより実現される。なお、固有画像変換手段は、２次元バーコードであれば、ＱＲコードの規格などにより実現される。なお、特殊文字の場合は、２進数に変換するなどの一定の規則により実現される。なお、固有画像はバーコード、特殊文字だけでなく、一般的な文字列であってもよい。
【００４０】
固有画像変換手段２３の動作について、図６を用いて説明する。
【００４１】
まず、ステップＳ１７２において、ステップＳ１６４による入力手段２１から通知があるかを判定する。通知がなければステップＳ１７２に戻る。一方、通知があれば、ステップＳ１７３にて、前記通信設定情報を用いて固有の形式の画像に変換を行う。固有の形式は、バーコードなどにより実現される。なお、固有の形式の画像として、画像認識により特定の情報を得られる、２次元バーコード、特殊文字を用いてもよい。なお、固有の形式の画像として、説明を行ったが、通常の文字列を用いてもよい。
【００４２】
ステップＳ１７３で画像の変換が終了した後、ステップＳ１７４にて、固有画像表示手段２４に通知を行う。
【００４３】
最後に、図２の固有画像表示手段２４について説明する。
【００４４】
固有画像表示手段２４は液晶ディスプレイ（ＬＣＤ）などにより実現される。固有画像表示手段２４は固有画像変換手段２３からの通知を受けて、固有画像変換手段２３にて生成された画面を表示する。なお、固有画像表示手段は固有画像を表示するのみではなく、その他の一般画像を表示してもよい。なお、携帯端末を用いて説明を行ったが、図２に示す構成要素を持つリモコンなどの端末でもよい。なお、携帯性を必ずしも持つ必要はないため、通信機能付きテレビを用いてもよい。
【００４５】
以下、（２）の動作について図８から図１１を用いて説明する。
【００４６】
最初に、図３の画像入力手段３２について説明する。画像入力手段３２は、ＣＣＤやＣＭＯＳなどを用いて光学情報を電子情報に変換するデバイスにより実現される。
【００４７】
画像入力手段３２の動作について、図９を用いて説明する。ステップＳ２０２において、画像が入力されたかの判定を行う。ステップＳ２０２で撮像され、入力が確認されたら、モード選択手段に通知するステップＳ２０３を行う。
【００４８】
次に、図３のモード選択手段３１について説明する。モード選択手段３１は設定モードと撮影モードを切り替える手段であり、実施の形態１の構成としてはネットワークカメラ２の外部に切り替えスイッチを設置することにより実現する。なお、本実施の形態として、切り替えスイッチを設けたが、プッシュボタンや、電気信号などにより切り替えてもよい。
【００４９】
モード選択手段３１の動作を、図８を用いて説明する。
【００５０】
ステップＳ１９２は画像入力手段からの通知を受け取っているかを判定する。画像入力手段３２から通知を受け取っていれば、ステップＳ１９３に進む。ステップＳ１９３では、モード選択スイッチの切り替えによって処理を分ける。設定モードの場合は、画像入力手段３２により入力された画像が前記通信設定情報を含む固有画像として扱い、一方、設定モードでなければ撮影モードであり、入力画像を一般画像として扱う。設定モードであれば、ステップＳ１９４へ進んで情報解析手段３３に通知し、ステップＳ１９２に戻る。撮影モードであれば、ステップＳ１９５に進み、画像送信手段３６にＩＰアドレスなどの前記通信設定情報が設定されているかを問い合わせて通信が可能な状態であるかを判定する。ステップＳ１９５の結果が通信可能な状態であれば、ステップＳ１９６へ進んで撮像画像変換手段３５に通知し、ステップＳ１９２に戻る。ステップＳ１９５の結果が通信可能な状態でなければ、ステップＳ１９２に戻る。ここでは設定モードであったとして、さらに流れを説明する。
【００５１】
次に、図３の情報解析手段３３について説明する。情報解析手段３３は画像認識処理を行い、解析結果から必要な情報を取得する。解析する画像が１次元バーコード、２次元バーコードや、特殊文字の場合は、それぞれに対応した情報の変換アルゴリズムを用いる必要がある。解析する画像が１次元バーコードである場合、画像認識時に一次元の認識でよいため、２次元バーコード、特殊文字よりも、少ない解析処理でよい。解析する画像が２次元バーコードである場合、１次元バーコードよりも多くの情報を画像に含むことができる。なお、情報解析手段３３において、取得する情報はネットワークカメラ２自身に設定する通信に必要な情報以外が存在してもよい。
【００５２】
情報解析手段３３の動作について、図１０を用いて説明する。
【００５３】
ステップＳ２１２において、モード選択手段３１からの通知を受け取っているかを判定する。通知を受け取っていなければ、Ｓ２１２に戻る。モード選択手段３１から通知を受け取っていれば、ステップＳ２１３へ進む。ステップＳ２１３では前記入力画像から設定情報を解析する。ステップＳ２１４では、前記設定情報を取得し、情報解析手段３３内に記憶しておく。ステップＳ２１５では、情報設定手段３４へ通知を行い、ステップＳ２２２に戻る。
【００５４】
最後に、図３の情報設定手段３４について説明する。情報設定手段３４は情報解析手段３３により解析した設定情報の中から通信設定情報を取得し、画像送信手段３６に設定する。
【００５５】
情報設定手段３４の動作について、図１１を用いて説明する。
【００５６】
ステップＳ２２２において、情報解析手段３３からの通知を受け取っているかを判定する。通知を受け取っていなければ、ステップＳ２２２に戻る。
【００５７】
通知を受け取っていれば、ステップＳ２２３へ進み、情報解析手段３３にて、記憶されている設定情報の中から、ＩＰアドレス、ゲートウェイ、ＩＤなどの通信設定情報を情報設定手段３４内に記憶しておく。ステップＳ２２３に続き、ステップＳ２２４では、画像送信手段３６に通知し、ステップＳ２２２に戻る。
【００５８】
以下、（３）の動作について図７、図１４を用いて説明する。
【００５９】
最初に、ネットワークカメラ２における図２のアクセス情報生成手段２５について説明する。アクセス情報生成手段２５はネットワークカメラ２の通信設定情報からアクセス情報を生成する。アクセス情報はネットワークカメラのＩＰアドレスから生成するＵＲＬなどを用いて実現される。ＵＲＬの例を図１８に示す。なお、図１８では画像取得のプロトコルとしてＨＴＴＰの場合を示しているが、ＦＴＰ、ＰＯＰ３などその他のプロトコルを用いることもできる。
【００６０】
アクセス情報生成手段２５の動作について、図７を用いて説明する。
【００６１】
まず、ステップＳ１８２により、入力手段２１からの通知があったかを判定して、通知がなければステップＳ１８２に戻る。ステップＳ１８２において、通知があれば、ステップＳ１８３に進む。ステップＳ１８３ではネットワークカメラへのアクセス情報を生成する。ステップＳ１８３に続き、ステップＳ１８４にて、情報送信手段２６に通知を行い、ステップＳ１８２に戻る。
【００６２】
次に、図２の情報送信手段２６について説明する。情報送信手段２６はＣＤＭＡ方式、Ｗ−ＣＤＭＡ方式、ＩＭＴ２０００方式などの携帯電話に用いられるプロトコルや、８０２．１１ａ、ｂ、ｇ、ｅなどの無線ＬＡＮなどのＥｔｈｅｒｎｅｔ（Ｒ）網によるプロトコル、Ｂｌｕｅｔｏｏｔｈ（Ｒ）、ＥＣＨＯＮＥＴ（Ｒ）などによる通信を行う。なお、情報送信手段２６は有線の通信を用いてもよい。情報送信手段２６はアクセス情報生成手段２５から通知を受け取ったら、事前に入力手段２１により入力しておいた、もしくはあらかじめ記憶手段２２に記憶しておいた、ＩＰアドレス、Ｅメールアドレスなどの表示装置３の情報を元に前記アクセス情報を送信する。
【００６３】
次に、表示装置３における図４の第一の通信手段４１について説明する。
【００６４】
第一の通信手段４１は携帯端末１における情報送信手段２６と同様のプロトコルにより通信を行う。携帯端末１の通信手段２１から第一の通信手段４１にメールによってアクセス情報が送信される場合は、定期的に受信したかを確認する。
【００６５】
第一の通信手段４１の動作を、図１４を用いて説明をする。
【００６６】
ステップＳ２５２にて、アクセス情報を受信したかを判定する。アクセス情報を受信していなければ、ステップＳ２５２に戻る。アクセス情報を受信したのであれば、ステップＳ２５３に進み、アクセス先を記憶し、第二の通信手段４２に通知を行い、ステップＳ２５２に戻る。
【００６７】
最後に、図４における第二の通信手段４２について説明する。
【００６８】
第二の通信手段４２はネットワークカメラ２と同様のプロトコルにより通信を行う。第一の通信手段４１によりアクセス情報が更新されたことが通知された場合はネットワークカメラ２のアクセス先が変更される。
【００６９】
以下、（４）の動作について、図１５から図１７、および、図１２、図１３を用いて説明する。
【００７０】
最初に、表示装置３の図４の第二の通信手段４２について説明する。第二の通信手段４２は第一の通信手段４１にて受信したアクセス情報を基にネットワークカメラ２に画像送信要求を行い、ネットワークカメラ２の撮像画像を受信する。
【００７１】
第二の通信手段４２の動作を、図１５を用いて説明する。
【００７２】
ステップＳ２６２において、第一の通信手段４１からの通知を受け取っていれば、ステップＳ２６４に進む。受け取っていなければ、ステップＳ２６３に進む。
【００７３】
ステップＳ２６４では、第一の通信手段４１に記憶しているアクセス情報を第二の通信手段４２に記憶する。ステップＳ２６３において、第二の通信手段４２にアクセス情報を記憶していれば、ステップＳ２６５へ進む。記憶していなければ、ステップＳ２６２に戻る。ステップＳ２６５において、記憶しているアクセス情報を基にネットワークカメラ２に画像送信要求を送信する。ステップＳ２６６では、画像をネットワークカメラ２から受信していない場合は、ステップＳ２６８に進む。受信した場合はステップＳ２６７に進む。
【００７４】
ステップＳ２６７では、受信画像変換手段４３に通知を行い、その後、ステップＳ２６２に進む。ステップＳ２６８では、アクセス先情報が異常であることを受信画像表示手段に通知し、ステップＳ２６９において、第二の通信手段４２において記憶していたアクセス先を消去する。なお、表示装置３に入力手段がある場合においては、第二の通信手段４２の任意の時点で画像送信要求を中止する機能を有してもよい。ステップＳ２６８、Ｓ２６９を行うことにより、表示装置３とネットワークカメラ２が通信不能となっている場合において、ネットワーク上に無駄なトラフィックが流れることを防ぐことができる。なお、画像送信要求には、表示装置３のＩＰアドレスなどの通信に必要な情報のみではなく、ネットワークカメラ２を制御する情報を含んでいてもよい。これにより、ネットワークカメラ２の動作可能な範囲において、ユーザの要求する画像を取得することができる。以下、図３のモード選択手段３１において、撮影モードとしたときの流れを説明する。
【００７５】
次に、図３の撮像画像変換手段３５について説明する。撮像画像変換手段３５は、画像入力手段３２によって入力された入力画像をＪＰＥＧなどのネットワークを介して送信できる形式に変換する。
【００７６】
撮像画像変換手段３５の動作について、図１３を用いて説明する。
【００７７】
ステップＳ２４２において、モード選択手段３１から通知を受け取っているかを判定する。通知を受け取っていなければ、ステップＳ２４２に戻る。一方、通知を受け取っていれば、ステップＳ２４３へ進み、前記入力画像を画像送信手段３６にて送信できる形式に変換を行う。ステップＳ２４４では、画像送信手段３６に通知を行う。なお、ステップＳ２４３において、画像送信手段３６におけるステップＳ２３３で受信した画像送信要求が解像度や、転送レートなどの情報を含んでいる場合は、表示装置３の画像送信要求に対応した形式に変換してもよい。
【００７８】
次に、図３の画像送信手段３６について説明する。
【００７９】
画像送信手段３６はＴＣＰ／ＩＰネットワークなどの通信により表示装置３と接続される。なお、画像送信手段３６と表示装置３の接続は無線であってもよい。画像送信手段３６は、ＩＰアドレスやゲートウェイなどの前記通信設定情報が設定されているかを確認後、表示装置３からの画像送信要求に対して、画像を送信する機能を有する。
【００８０】
画像送信手段３６の動作について、図１２を用いて説明する。
【００８１】
ステップＳ２３２において、情報設定手段３４から通知をうけているかを判定する。
【００８２】
ステップＳ２３２において、情報設定手段３４から通知を受けとっていれば、ステップＳ２３６において、情報設定手段３４で記憶されている通信設定情報を画像送信手段３６に記憶する。ステップＳ２３２において、情報設定手段３４から通知を受け取っていなければ、ステップＳ２３７へ進み、画像送信手段３６に通信設定情報が記憶されているかを判定する。記憶されていれば、ステップＳ２３３へ進む。記憶されていなければ、ステップＳ２３２へ戻る。ステップＳ２３３において、画像送信要求を受信しているかを判定する。画像送信要求を受信していないならば、ステップＳ２３２に戻る。画像送信要求を受信していれば、ステップＳ２３４へ進み、撮像画像変換手段３５からの通知を受け取っているか判定する。ステップＳ２３４において、撮像画像変換手段３５からの通知を受け取っていれば、ステップＳ２３５へ進み、画像送信要求に従って撮像画像変換手段３５により変換された画像を送信し、ステップＳ２３２に戻る。一方、ステップＳ２３４において、撮像画像変換手段３５からの通知を受け取っていなければ、ステップＳ２３４に戻る。
【００８３】
なお、ネットワークカメラを用いて、説明をしたが、図３に示す手段を有する装置であれば通信機能付きデジタルスチルカメラ、撮像機能付き携帯電話を用いてもよい。
【００８４】
次に、表示装置３における図４の受信画像変換手段４３について説明する。
【００８５】
受信画像変換手段４３は第二の通信手段４２において受信した画像を受信画像表示手段４３で表示できる形式に変換する。
【００８６】
撮像画像変換手段４３の動作について、図１６を用いて説明する。
【００８７】
ステップＳ２８２において、第二の通信手段４２からの通知を受信したかを判定し、受信した場合は、ステップＳ２８３に進む。受信していない場合は、ステップＳ２８２に戻る。ステップＳ２８３では第二の通信手段４２により取得した画像を受信画像表示手段４４で表示可能な形式に変換する。ステップＳ２８４では受信画像表示手段４４に通知を行う。
【００８８】
最後に、図４における受信画像表示手段４４について説明する。受信画像表示手段４４はブラウン管ディスプレイ、ＬＣＤなどの表示デバイスを用いて実現される。
【００８９】
受信画像表示手段４４の動作について、図１７を用いて説明する。
【００９０】
ステップＳ２９２において、第二の通信手段４２により、アクセス先異常の通知を受信した場合は、第二の通信手段４２により、通信不能であるアクセス先を取得し、ステップＳ２９４にて、その旨を表示し、ステップＳ２９２に戻る。一方、ステップＳ２９２において、アクセス先異常の通知を受信しなければ、ステップＳ２９３に進み、ステップＳ２９３において、受信画像変換手段４３からの通知を受け取ったかを判定する。通知を受け取っていなければ、ステップＳ２９２に戻る。通知を受け取った場合は、ステップＳ２９４に進み、受信画像変換手段４３において、変換した画像を表示し、ステップＳ２９２に戻る。なお、表示装置は、アクセス情報を取得でき、ネットワークを経由して送られてくる画像を表示することができれば、上記表示装置だけなく、パソコン、携帯電話、ＰＤＡによっても実現される。
【００９１】
なお、上記各実施の形態は、記憶装置（ＲＯＭ、ＲＡＭ、ハードディスク等）に格納された上述した処理手順を実行可能な所定のプログラムデータが、ＣＰＵによって解釈実行されることで実現される。この場合、プログラムデータは、記録媒体内を介して記憶装置内に導入されてもよいし、記録媒体上から直接実行されてもよい。なお、記録媒体は、ＲＯＭ、ＲＡＭ、フレキシブルディスク、ＣＤ−ＲＯＭ、ＤＶＤ、メモリカード、ハードディスク等の記録媒体を言う。また、記録媒体は、電話回線や搬送路等の通信媒体も含む概念である。
【産業上の利用可能性】
【００９２】
本発明にかかるネットワークカメラシステムは、容易にネットワークに設定するための端末を接続できない場合、および、撮像機能以外の入力装置を持たない撮像装置、ネットワーク管理のための装置（ＤＨＣＰサーバ）などが接続されていない場合に有用である。また、簡単な操作によってカメラの設定が出来ると同時に、ネットワークカメラに対するアクセス情報をネットワーク経由で表示装置に伝えることができるため、多数のネットワークカメラを設置する場合や、遠隔地にある表示装置、および、多数の表示装置を設置する場合等に有用である。
【図面の簡単な説明】
【００９３】
【図１】本発明の一実施の形態に係るネットワークカメラシステムの概念図
【図２】本発明の一実施の形態に係る携帯端末の構成を示すブロック図
【図３】本発明の一実施の形態に係るネットワークカメラの構成を示すブロック図
【図４】本発明の一実施の形態に係る表示装置の構成を示すブロック図
【図５】本発明の一実施の形態における携帯端末の入力手段のフローチャート
【図６】本発明の一実施の形態における携帯端末の固有画像変換手段のフローチャート
【図７】本発明の一実施の形態における携帯端末のアクセス情報生成手段のフローチャート
【図８】本発明の一実施の形態におけるネットワークカメラのモード設定手段のフローチャート
【図９】本発明の一実施の形態におけるネットワークカメラの画像入力手段のフローチャート
【図１０】本発明の一実施の形態におけるネットワークカメラの情報解析手段のフローチャート
【図１１】本発明の一実施の形態におけるネットワークカメラの情報設定手段のフローチャート
【図１２】本発明の一実施の形態におけるネットワークカメラの画像送信手段のフローチャート
【図１３】本発明の一実施の形態におけるネットワークカメラの撮像画像変換手段のフローチャート
【図１４】本発明の一実施の形態における表示装置の第一の通信手段のフローチャート
【図１５】本発明の一実施の形態における表示装置の第二の通信手段のフローチャート
【図１６】本発明の一実施の形態における表示装置の受信画像変換手段のフローチャート
【図１７】本発明の一実施の形態における表示装置の受信画像表示手段のフローチャート
【図１８】本発明の一実施の形態におけるアクセス情報を説明するための図
【符号の説明】
【００９４】
１    携帯端末
２    ネットワークカメラ
３    表示装置
２１    入力手段
２２    記憶手段
２３    固有画像変換手段
２４    固有画像表示手段
２５    アクセス情報生成手段
２６    情報送信手段
３１    モード選択手段
３２    画像入力手段
３３    情報解析手段
３４    情報設定手段
３５    撮像画像変換手段
３６    画像送信手段
４１    第一の通信手段
４２    第二の通信手段
４３    受信画像変換手段
４４    受信画像表示手段
【図１】
2005244268.tif 000003
【図２】
2005244268.tif 000004
【図３】
2005244268.tif 000005
【図４】
2005244268.tif 000006
【図５】
2005244268.tif 000007
【図６】
2005244268.tif 000008
【図７】
2005244268.tif 000009
【図８】
2005244268.tif 000010
【図９】
2005244268.tif 000011
【図１０】
2005244268.tif 000012
【図１１】
2005244268.tif 000013
【図１２】
2005244268.tif 000014
【図１３】
2005244268.tif 000015
【図１４】
2005244268.tif 000016
【図１５】
2005244268.tif 000017
【図１６】
2005244268.tif 000018
【図１７】
2005244268.tif 000019
【図１８】
2005244268.tif 000020